(57)【特許請求の範囲】
【請求項１】
前面に窓部を有する筐体と、
この筐体内に設けられ、筐体の前面にディスク面が対向される状態で複数枚のディスクが前後方向に沿って集積されるストッカと、
前記筐体内の窓部の後方でかつストッカの側部に設けられ、筐体の前面にディスク面が対向される状態でディスクをドライブするドライブ機構、ストッカとドライブ機構との間でディスクを着脱するローディング機構、およびディスクのローディング時に任意のディスクの位置に対応して前後方向に移動させるとともにディスクのドライブ時に筐体の窓部に臨む最も前進したドライブ位置に移動させる移動機構を有するドライブ体と
を具備していることを特徴とするディスクチェンジャ装置。
【請求項２】
ドライブ体をドライブ位置で筐体に対して位置決め保持する保持機構を具備している
ことを特徴とする請求項１記載のディスクチェンジャ装置。
【請求項３】
ストッカは、筐体の前面から進退可能に設けられている
ことを特徴とする請求項１または２記載のディスクチェンジャ装置。
【請求項４】
ストッカは、筐体の前面から進退可能に設けられるとともに、ストッカ移動用モータの駆動力によって進退移動される
ことを特徴とする請求項１または２記載のディスクチェンジャ装置。
【請求項５】
ストッカは、筐体の前面から進退可能に設けられ、
移動機構は、移動用モータ、この移動用モータからの駆動力によってドライブ体を前後方向に移動させるドライブ体移動機構、ドライブ体がドライブ位置に移動された状態で移動用モータからドライブ体移動機構への駆動力の伝達を解除可能とするクラッチ機構、前記ドライブ体移動機構の一部として機能するとともにドライブ体がドライブ位置に移動されかつクラッチ機構によって移動用モータからドライブ体移動機構への駆動力の伝達が解除された状態で移動用モータからの駆動力によってストッカを進退移動させるストッカ移動機構を有している
ことを特徴とする請求項２記載のディスクチェンジャ装置。
【請求項６】
ストッカの進出を規制する規制位置と規制を解除する解除位置との間で移動可能とされるとともに規制位置に付勢される規制部材を具備し、
ローディング機構は、ローディング用モータおよびこのローディング用モータからの駆動力によって往復移動されるローディングプレートを有し、このローディングプレートの一方への移動によりローディング機構が動作されるとともに、ローディングプレートの他方への移動により規制部材が解除位置に移動される
ことを特徴とする請求項３または４記載のディスクチェンジャ装置。
【請求項７】
ローディング機構は、ローディング用モータおよびこのローディング用モータからの駆動力によって往復移動されるローディングプレートを有し、このローディングプレートの一方への移動によりローディング機構が動作されるとともに、ローディングプレートの他方への移動によりクラッチ機構が解除動作される
ことを特徴とする請求項５記載のディスクチェンジャ装置。
【請求項８】
保持機構は、ドライブ位置に対応して筐体に設けられた保持溝、およびローディングプレートの移動により保持溝に係合されるローディングプレートに設けられた保持片を有している
ことを特徴とする請求項６または７記載のディスクチェンジャ装置。
【請求項９】
ローディング機構は、ストッカからドライブ機構にディスクをローディングする過程でディスクの直径に対応してディスクの中心をドライブ機構の中心に位置決めするディスク中心位置決め手段を有している
ことを特徴とする請求項１ないし８いずれか記載のディスクチェンジャ装置。
【発明の詳細な説明】
【０００１】
【発明の属する技術分野】
本発明は、複数枚のディスクを集積状態に収容していずれかのディスクを選択的にドライブするディスクチェンジャ装置に関する。
【０００２】
【従来の技術】
従来、例えば、ディスクとしてコンパクトディスク（以下ＣＤという）があり、このＣＤのディスクチェンジャ装置では、特開平６−２３１５２９号公報に記載されているように、３０枚、４０枚などの多数枚のＣＤを集積状態に収容し、それらのうちのいずれかのＣＤを選択的に演奏するようにした構成が知られている。
【０００３】
このようなディスクチェンジャ装置では、筐体内の前面側にＣＤを着脱可能に収容するストッカが配設され、このストッカの後側にＣＤの演奏を行なうドライブ体が左右方向に移動可能に配設されている。
【０００４】
ストッカには、筐体の側面にディスク面が対向される状態すなわち筐体の前面に対してディスク面が垂直状となる状態で左右方向に沿って集積され、筐体の前面からストッカに対してディスクが着脱可能になっている。
【０００５】
ドライブ体は、ストッカに対するディスクの着脱に支障がないようにストッカの後側に配設され、任意のディスクの位置に対応して左右方向に移動され、選択されたＣＤを後方のドライブ体側に取り込んで、その取込姿勢のまま、すなわち筐体の側面にディスク面が対向される状態で演奏が行なわれるようになっている。
【０００６】
【発明が解決しようとする課題】
しかしながら、従来のディスクチェンジャ装置では、ストッカの後側に配設されたドライブ体でＣＤの演奏が行なわれるとともに、筐体の側面にディスク面が対向される状態でＣＤの演奏が行なわれるため、選択されたＣＤのラベル面（非データ記録面）に表示されたタイトル名などの確認や、ＣＤの演奏状態を筐体の前面から視認することはできなかった。
【０００７】
また、このようなディスクチェンジャ装置はコンポーネントステレオとしてアンプ、チューナおよびスピーカなどと組み合わされ、ディスクチェンジャ装置の両側にスピーカなどが配置されることからも、選択されたＣＤのラベル面に表示されたタイトル名などの確認や、ＣＤの演奏状態を視認できるようにすることは困難であった。
【０００８】
本発明は、このような点に鑑みなされたもので、ディスクのディスク面、およびディスクのドライブ状態を筐体の前面から良好に視認できるディスクチェンジャ装置を提供することを目的とする。
【０００９】
【課題を解決するための手段】
請求項１記載のディスクチェンジャ装置は、前面に窓部を有する筐体と、この筐体内に設けられ、筐体の前面にディスク面が対向される状態で複数枚のディスクが前後方向に沿って集積されるストッカと、前記筐体内の窓部の後方でかつストッカの側部に設けられ、筐体の前面にディスク面が対向される状態でディスクをドライブするドライブ機構、ストッカとドライブ機構との間でディスクを着脱するローディング機構、およびディスクのローディング時に任意のディスクの位置に対応して前後方向に移動させるとともにディスクのドライブ時に筐体の窓部に臨む最も前進したドライブ位置に移動させる移動機構を有するドライブ体とを具備しているものである。
【００１０】
選択されたディスクのドライブを行なうには、移動機構によりドライブ体が選択されたディスクの位置に対応して前後方向に移動されるとともに、ローディング機構によりストッカから選択されたディスクがドライブ体のドライブ機構にローディングされた後、移動機構によりドライブ体が筐体の窓部に臨む最も前進したドライブ位置に移動され、ディスクのドライブが行なわれる。そのため、筐体の窓部を通じて選択されたディスクのディスク面、およびディスクのドライブ状態が良好に視認可能とされる。
【００１１】
請求項２記載のディスクチェンジャ装置は、請求項１記載のディスクチェンジャ装置において、ドライブ体をドライブ位置で筐体に対して位置決め保持する保持機構を具備しているものである。
【００１２】
保持機構によりドライブ位置に移動したドライブ体が位置決め保持されることにより、ディスクのドライブ状態が安定化される。
【００１３】
請求項３記載のディスクチェンジャ装置は、請求項１または２記載のディスクチェンジャ装置において、ストッカは、筐体の前面から進退可能に設けられているものである。
【００１４】
ストッカを筐体の前面から進出させることにより、ストッカに対するディスクの着脱が容易になる。
【００１５】
請求項４記載のディスクチェンジャ装置は、請求項１または２記載のディスクチェンジャ装置において、ストッカは、筐体の前面から進退可能に設けられるとともに、ストッカ移動用モータの駆動力によって進退移動されるものである。
【００１６】
ストッカ移動用モータの駆動力によってストッカが筐体の前面から自動的に進退される。ストッカを筐体の前面から進出させることにより、ストッカに対するディスクの着脱が容易になる。
【００１７】
請求項５記載のディスクチェンジャ装置は、請求項２記載のディスクチェンジャ装置において、ストッカは、筐体の前面から進退可能に設けられ、移動機構は、移動用モータ、この移動用モータからの駆動力によってドライブ体を前後方向に移動させるドライブ体移動機構、ドライブ体がドライブ位置に移動された状態で移動用モータからドライブ体移動機構への駆動力の伝達を解除可能とするクラッチ機構、前記ドライブ体移動機構の一部として機能するとともにドライブ体がドライブ位置に移動されかつクラッチ機構によって移動用モータからドライブ体移動機構への駆動力の伝達が解除された状態で移動用モータからの駆動力によってストッカを進退移動させるストッカ移動機構を有しているものである。
【００１８】
ドライブ体の移動時には、移動用モータからの駆動力がドライブ体移動機構に伝達され、このドライブ体移動機構によりドライブ体が前後方向に移動される。ストッカの進退移動時には、ドライブ体がドライブ位置に移動した状態で、クラッチ機構によって移動用モータからドライブ体移動機構への駆動力の伝達が解除され、移動用モータからの駆動力がストッカ移動機構に伝達され、このストッカ移動機構によりストッカが自動的に進退移動される。したがって、１つの移動用モータでドライブ体の移動とストッカの進退移動とが行なわれる。しかも、ストッカを筐体の前面から進出させることにより、ストッカに対するディスクの着脱が容易になる。
【００１９】
請求項６記載のディスクチェンジャ装置は、請求項３または４記載のディスクチェンジャ装置において、ストッカの進出を規制する規制位置と規制を解除する解除位置との間で移動可能とされるとともに規制位置に付勢される規制部材を具備し、ローディング機構は、ローディング用モータおよびこのローディング用モータからの駆動力によって往復移動されるローディングプレートを有し、このローディングプレートの一方への移動によりローディング機構が動作されるとともに、ローディングプレートの他方への移動により規制部材が解除位置に移動されるものである。
【００２０】
規制部材によりストッカの不用意な進出が規制される。さらに、ローディング機構のローディングプレートの一方への移動によりローディング機構が動作されるとともに、ローディングプレートの他方への移動により規制部材による規制が解除され、規制部材の解除機構がローディング機構で兼用される。
【００２１】
請求項７記載のディスクチェンジャ装置は、請求項５記載のディスクチェンジャ装置において、ローディング機構は、ローディング用モータおよびこのローディング用モータからの駆動力によって往復移動されるローディングプレートを有し、このローディングプレートの一方への移動によりローディング機構が動作されるとともに、ローディングプレートの他方への移動によりクラッチ機構が解除動作されるものである。
【００２２】
ローディング機構のローディングプレートの一方への移動によりローディング機構が動作されるとともに、ローディングプレートの他方への移動によりクラッチ機構が解除動作され、クラッチ機構の解除がローディング機構で兼用でされる。
【００２３】
請求項８記載のディスクチェンジャ装置は、請求項６または７記載のディスクチェンジャ装置において、保持機構は、ドライブ位置に対応して筐体に設けられた保持溝、およびローディングプレートの移動により保持溝に係合されるローディングプレートに設けられた保持片を有しているものである。
【００２４】
ドライブ位置において、ローディングプレートの移動により、ローディングプレートの保持片が筐体の保持溝に係合して位置決め保持され、保持機構がローディング機構で兼用される。
【００２５】
請求項９記載のディスクチェンジャ装置は、請求項１ないし８いずれか記載のディスクチェンジャ装置において、ローディング機構は、ストッカからドライブ機構にディスクをローディングする過程でディスクの直径に対応してディスクの中心をドライブ機構の中心に位置決めするディスク中心位置決め手段を有しているものである。
【００２６】
ローディング機構のディスク中心位置決め手段により、ストッカからドライブ機構にディスクがローディングされる過程でディスクの直径に対応してディスクの中心がドライブ機構の中心に位置決めされ、直径の異なるディスクに対応可能となる。
【００２７】
【発明の実施の形態】
以下、本発明の一実施の形態を図面を参照して説明する。
【００２８】
図１ないし図１２に第１の実施の形態を示し、この実施の形態では、ディスク（情報記録ディスク）として再生専用のコンパクトディスク（以下、ＣＤという）を取り扱うＣＤプレーヤであって、複数枚のＣＤの中から選択的に１枚のＣＤの再生を行なうディスクチェンジャ装置について説明する。また、ＣＤには直径がアルバムサイズの１２ｃｍとシングルサイズの８ｃｍとがある。
【００２９】
図１および図２において、ディスクチェンジャ装置は、筐体１、この筐体１内に配置されるストッカ２およびドライブ体３を備え、ストッカ２に複数枚のＣＤが集積され、ドライブ体３でＣＤの演奏が行なわれる。
【００３０】
まず、筐体１について説明する。
【００３１】
筐体１の前面には開口部１１および窓部１２が形成され、開口部１１の後方にストッカ２が配設され、窓部１２の後方にドライブ体３が前後方向に移動可能に配設されている。ドライブ体３が最も前進可能とする窓部１２に臨む最前部は、ドライブ体３によってＣＤの演奏を行なうドライブ位置１３として設定されている。
【００３２】
筐体１の上面には、ドライブ体３の後述する移動機構の一部を構成する２つのラック１４，１５が前後方向に沿って形成されているとともに、ガイド板１６が前後方向に沿って取り付けられている。
【００３３】
筐体１の底面には、ドライブ体３の移動領域に対応して一対のレール部１７が形成されているとともに、図６に示すように、ドライブ位置１３に対応して後述する保持機構５７の一部を構成する保持溝１８ａ  ，１８ｂ  が形成されている。この保持溝１８ａ  ，１８ｂ  は、底面より立ち上げられた前後の縁部１９間に形成されている。
【００３４】
次に、ストッカ２について説明する。
【００３５】
ストッカ２は、前後方向に長い搭載台２１を有し、この搭載台２１には、左右方向に横長で中央域が上下に貫通開口されるスリット状の複数のディスク装填溝２２が前後方向に沿って並列に形成され、これら各ディスク装填溝２２にＣＤが上方から着脱可能に差し込み装填される。したがって、ストッカ２には、筐体１１の前面にＣＤのディスク面が対向される状態で複数枚のＣＤが前後方向に沿って集積される。
【００３６】
最前部のディスク装填溝２２の後壁にはガイド板２３が立設され、ストッカ２に集積されたＣＤとは別に、ＣＤを１枚ずつ装填して演奏する場合に、ガイド板２３によってＣＤをディスク装填溝２２に差し込み装填しやすくしている。
【００３７】
なお、この実施の形態のストッカ２では、ガイド板２３の後方に３４枚、前側に１枚の合計３５枚のＣＤを集積できる。
【００３８】
搭載台２１の下面には一対のスライド部２４が前後方向に沿って形成され、これらスライド部２４が筐体１の底面上に前後方向に沿って配設された一対のガイドレール２５にスライド自在に取り付けられ、搭載台２１がガイドレール２５に沿って前後方向に移動可能に構成されている。したがって、ストッカ２は筐体１の開口部１１からさらに前方へ進退可能に構成され、進出位置でＣＤの着脱を容易に行なえるように構成されている。
【００３９】
図２および図３に示すように、搭載台２１のドライブ体３に臨む側面には、ディスク装填溝２２の前後方向のピッチと同一ピッチで各ディスク装填溝２２に対応する複数の検知用スリット２６が形成されているとともに、後述するドライブ体移動機構およびストッカ移動機構の一部を構成するラック２７が形成されている。
【００４０】
また、図１、図４および図５に示すように、筐体１の開口部１１の側部で筐体１の前面板の裏側には、ストッカ２の前方への進出を規制する規制部材２８が左右方向に移動可能に配設されている。この規制部材２８は、一端部が開口部１１に進出してストッカ２の前方への進出を規制する規制位置と、開口部１１から退避して規制を解除する解除位置とに移動可能とし、スプリング２９によって規制位置に付勢されている。規制部材２８の他端部には後方へ突出する規制ピン３０が取り付けられている。
【００４１】
次に、ドライブ体３について説明する。
【００４２】
図１および図７に示すように、ドライブ体３は、枠体３１、ドライブ機構３２、ローディング機構３３、移動機構３４を備えている。
【００４３】
枠体３１は、ストッカ２に臨む側面がＣＤのローディングのために開口形成されているとともに、前面がドライブ機構３２で演奏されるＣＤのディスク面が前方から視認できるように開口形成されている。枠体３１の下面には、図７に示すように、筐体１の各レール部１７に係合する複数のローラ３７（図面では１つのみ示す）が回転自在に軸支されており、このローラ３７がレール部１７上を転動することによって枠体３１が前後方向に移動される。
【００４４】
また、ドライブ機構３２は、図１に示すように、枠体３１内に配置されており、ターンテーブル４１およびピックアップ４２を含むピックアップユニット４３を有し、このピックアップユニット４３が枠体２１内に上端側を支点として前後方向に揺動可能に支持された揺動板４４の前面に取り付けられている。ピックアップユニット４３の前方には枠体３１から押え板４５が立設され、この押え板４５にターンテーブル４１との間でＣＤをチャックする図示しないチャックユニットが取り付けられている。なお、押え板４５は、チャックを行なうＣＤの中心部に対応して形成され、ＣＤのディスク面の少なくとも上半分に対応して開口形成されている。
【００４５】
そして、揺動板４４が後方へ退避された状態でピックアップユニット４３とチャックユニットとの間に対するＣＤのローディングを可能とし、チャック時には揺動板４４が前方へ進出されてＣＤがターンテーブル４１とチャックユニットとの間でチャックされる。
【００４６】
また、ローディング機構３３は、図３ないし図５に示すように、枠体３１に対して左右方向にスライド可能に取り付けられたローディングプレート５１を有し、このローディングプレート５１にはラック５３が左右方向に形成され、ローディング用モータ５４からの駆動力がギヤ列５５を介して伝達され、図３および図４に示す定位置を起点として左方向（一方）または右方向（他方）に移動される。
【００４７】
ローディングプレート５１の下縁左側には保持片５６が形成され、ドライブ体３がドライブ位置１３に位置するとき、ローディングプレート５１の左右方向の移動により保持片５６がいずれかの保持溝１８ａ  ，１８ｂ  に係合される。したがって、保持溝１８ａ  ，１８ｂ  と保持片５６とにより、ドライブ体３をドライブ位置１３で筐体１に対して位置決め保持する保持機構５７が構成されている。
【００４８】
ローディングプレート５１の右縁下側には押動部５８が形成され、ドライブ体３がドライブ位置１３に位置するとき、ローディングプレート５１の右方向への移動により押動部５８が規制部材２８の規制ピン３０に係合し、規制部材２８が右方向の解除位置へ押動される。
【００４９】
ローディングプレート５１には２つのカム溝６１，６２がそれぞれ形成され、下側のカム溝６２にはほぼ中間部の分岐点から右側に上下に別れる２つの溝部６２ａ  ，６２ｂ  が分岐形成されている。なお、詳細は後述するが、溝部６２ａ  が１２ｃｍのＣＤ用、溝部６２ｂ  が８ｃｍのＣＤ用として構成され、これら溝部６２ａ  ，６２ｂ  が後述するディスク中心位置決め手段の一部として構成されている。
【００５０】
ローディングプレート５１のラック５３の上部側には後面にカム溝６４が形成されているとともに、チャックピン６５が突設されている。チャックピン６５は、ローディングプレート５１が左方向に移動した際に、揺動板４４に係合し、その揺動板４４を前方へ揺動させ、ターンテーブル４１とチャックユニットとの間でＣＤをチャックさせるように構成されている。さらに、ローディングプレート５１のラック５３の前面には、ローディングプレートピン６７が突設されている。
【００５１】
なお、ローディング機構３３のローディングプレート５１以外の構成、すなわちＣＤのローディングに関する構造については後述する。
【００５２】
また、移動機構３４は、図１ないし図３に示すように、移動用モータ７１、ドライブ体移動機構７２、クラッチ機構７３およびストッカ移動機構７４を備えている。
【００５３】
ドライブ体移動機構７２は、枠体３１の上下に貫通する状態で回転自在に軸支された連動軸８１を有し、この連動軸８１の上下端に連動ギヤ８２，８３がそれぞれ固着され、下端の連動ギヤ８２が中間ギヤ８４を介して枠体３１に取り付けられた移動用モータ７１の駆動ギヤ８５に連結されている。
【００５４】
枠体３１の上面には、駆動軸８１の上端の連動ギヤ８３から駆動力が順に伝達される中間ギヤ８６、移動用ギヤ８７、中間ギヤ８８、移動用ギヤ８９がそれぞれ回転自在に軸支され、各移動用ギヤ８７，８９が筐体１の上面の各ラック１４，１５にそれぞれ噛合されている。
【００５５】
枠体３１の下面には、連動軸８１の下端の連動ギヤ８２に噛合する移動用ギヤ９０が回転自在に軸支され、この移動用ギヤ９０がストッカ２のラック２７に噛合されている。
【００５６】
なお、枠体３１の上面にはガイド板１６に転動可能に係合するローラ８０が回転自在に軸支されている。
【００５７】
したがって、移動用モータ７１の駆動力によって、連動軸８１が回転され、各移動用ギヤ８７，８９，９０が各ラック１４，１５，２７に対して転動して、ドライブ体３が前後方向に平行移動される。
【００５８】
また、クラッチ機構７３は、筐体１の各ラック１４，１５の前端に連続可能とするラック部９１ａ  ，９２ａ  を有する２つのクラッチ部材９１，９２を有し、一方のクラッチ部材９２は後端側の支軸９３を支点として左右方向に揺動可能とされ、他方のクラッチ部材９１は一方のクラッチ部材９２に連結されて左右方向にスライド可能とされている。そして、ラック部９１ａ  ，９２ａ  がラック１４，１５の前端に連続する状態がクラッチ入状態、ラック部９１ａ  ，９２ａ  がラック１４，１５の前端から右方向に移動して移動用ギヤ８７，８９と噛合しなくなる状態がクラッチ切状態とされる。一方のクラッチ部材９２と筐体１との間にはクラッチ入状態に向けて付勢するスプリング９４が張設されている。一方のクラッチ部材９２の下面にはクラッチピン９５が突設されている。
【００５９】
枠体３１には、図４および図５に示すように、ドライブ体３がドライブ位置１３に移動したとき、クラッチピン９５に係合するクラッチレバー９６が支軸９７を支点として揺動可能に軸支されている。クラッチレバー９６の上端にはクラッチピン９５と係合される係合溝９８が形成され、下端にはカム開口９９が形成されている。このクラッチレバー９６は図示しないスプリングで図中反時計回り方向に付勢されている。
【００６０】
枠体３１のクラッチレバー９６の下側において、リンクレバー１００  が支軸１０１  を支点として揺動可能に軸支され、このリンクレバー１００  の上端近傍からクラッチレバー９６のカム開口９９に係合されるリンクピン１０２  が突設され、下端にローディングプレート５１のカム溝６４に係合されるリンクピン１０３  が突設されている。
【００６１】
そして、図４に示すように、クラッチ入状態において、ローディングプレート５１が定位置にあることで、ドライブ体３のドライブ位置１３に対する移動によってクラッチピン９５とクラッチレバー９６とが係脱可能とされる。図５に示すように、ドライブ体３がドライブ位置１３に移動した状態で、ローディングプレート５１が右方向に移動されると、リンクレバー１００  が図中反時計回り方向に回動されるとともに、クラッチレバー９６が図中時計回り方向に回動され、クラッチピン９５を介してクラッチ部材９１，９２が右方向に移動されて、クラッチが切られる。なお、クラッチ切状態では、同時に、規制部材２８が解除位置に移動されてストッカ２の進退が可能となるとともに、ローディングプレート５１の保持片５６が保持溝１８ａ  に係合してドライブ体３が位置決め保持される。
【００６２】
また、ストッカ移動機構７４は、図３に示すように、移動用モータ７１の駆動力が伝達される移動用ギヤ９０やラック２７などによって構成されている。ドライブ体３がドライブ位置１３に保持され、クラッチ切状態、規制部材２８の解除位置への移動状態となると、移動用モータ７１の駆動力によって回動される移動用ギヤ９０との噛合でラック２７が前後方向に移動され、ストッカ２が筐体１に対して進退移動される。
【００６３】
なお、図２に示すように、枠体３１にはストッカ２の検知用スリット２６の位置に対応して、その検知用スリット２６の上下に投受光器を配したフォトインタラプタなどのセンサ１０５  が取り付けられ、ストッカ２とドライブ体３との相対的な移動位置が検知される。
【００６４】
次に、ローディング機構３３について説明する。
【００６５】
図７に示すように、ローディング機構３３は、前述のローディングプレート５１、爪レバー１１１  、ホルダアーム１１２  、ホルダプレート１１３  、ホルダレバー１１４  などを備えている。
【００６６】
爪レバー１１１  は、ストッカ２の下側に配置され、ストッカ２の各ディスク装填溝２２に進入可能とする薄い板状に形成されており、枠体３１からストッカ２側に突設されてガイドレール２５の下側に配置される図示しないアームの先端に支軸１１５  によって回動自在に軸支されている。そして、爪レバー１１１  は、図８に示すように、爪レバー１１１  の上方への回動により、爪レバー１１１  がディスク装填溝２２に装填されているＣＤの周縁部に係合して、そのＣＤがドライブ体３側に押し出すように構成されている。
【００６７】
爪レバー１１１  には線状のロッド１１６  を介してほぼ三角形状のリンク１１７  の１つの頂点部分に連結されている。このリンク１１７  は、別の頂点部分の支軸１１８  を支点として揺動可能に枠体３１に支持され、残りの頂点部分にローディングプレート５１のカム溝６１に係合する爪レバーピン１１９  が突設されている。
【００６８】
また、ホルダアーム１１２  は、ホルダプレート１１３  に支軸１２０  によって回動自在に軸支され、一端にはＣＤの周縁が係合されるほぼＶ字形のガイド溝１２１  が形成され、他端にはローディングプレート５１のカム溝６２に係合されるホルダアームピン１２２  が突設されている。ホルダアーム１１２  とホルダプレート１１３  との間には、ホルダアーム１１２  を図中時計回り方向に付勢する図示しないスプリングが張設されている。そして、図８に示すように、ストッカ２側から爪レバー１１１  で押し出されたＣＤ、またはドライブ体３側からストッカ２側を戻されるＣＤを、ストッカ２側とドライブ体３側との間で互いに受け渡すように構成されている。
【００６９】
また、ホルダプレート１１３  は、枠体３１に対して上下動可能に支持され、スプリング１２３  （図１２参照）によって上方に付勢されている。ホルダプレート１１３  の前面下縁に沿って、ＣＤの周縁が係合されるほぼＶ字形のホルダ溝１２４  を有するホルダ部１２５  が突出形成されている。ホルダプレート１１３  の背面には、ローディングプレート５１のローディングプレートピン６７が係合されるカム溝１２７  が形成されている。このカム溝１２７  は、ローディングプレート５１のカム溝６２と回転対称に形成され、中間部の分岐点から左側に上下に別れる２つの溝部１２７ａ，１２７ｂが分岐形成されている。なお、溝部１２７ａが１２ｃｍのＣＤ用、溝部１２７ｂが８ｃｍのＣＤ用として構成され、これら溝部１２７ａ，１２７ｂが後述するディスク中心位置決め手段の一部として構成されている。
【００７０】
また、ホルダレバー１１４  は、枠体３１のストッカ２側に臨む側部に上端の支軸１２８  を支点として揺動可能に軸支され、先端にはＣＤの周縁に係合されるほぼＶ字形のホルダ溝１２９  を有するホルダ部１３０  が取り付けられている。このホルダレバー１１４  にはリンクレバー１３１  の一端が回動自在に軸支連結され、リンクレバー１３１  の他端がリンクレバー１００  の上端に回動自在かつ所定の範囲で遊動可能に軸支連結されている。リンクレバー１３１  と枠体３１との間には、リンクレバー１３１  を左方向に付勢、すなわちホルダレバー１１４  を図中時計回り方向に付勢する図示しないスプリングが張設されている。
【００７１】
なお、カム溝６２，１２７  、ホルダプレート１１３  、ホルダレバー１１４  などにより、ストッカ２からドライブ体３にＣＤをローディングする過程でＣＤの直径に対応してＣＤの中心をドライブ機構３２の中心に位置決めするディスク中心位置決め手段１３２  が構成されている。
【００７２】
次に、本実施の形態の作用を説明する。
【００７３】
まず、ストッカ２へのＣＤの装填について説明する。
【００７４】
ストッカ２のイジェクトが指示されると、ドライブ体３が最前部のドライブ位置１３に移動される。
【００７５】
このドライブ体３の移動は、図３に示すように、移動用モータ７１の駆動により、枠体３１の上面の移動用ギヤ８７，８９および下面の移動用ギヤ９０がそれぞれ回転され、それら各移動用ギヤ８７，８９，９０がラック１４，１５，２７に噛合しながら転動され、ドライブ体３が前方向に平行移動される。
【００７６】
このとき、規制部材２８がストッカ２の前方に突出する規制位置にあって、ストッカ２の前進を規制している。また、クラッチ機構７３がクラッチ入状態にあって、移動用ギヤ８７，８９がクラッチ部材９１，９２のラック部９１ａ  ，９２ａ  に噛合する位置、すなわちドライブ体３がドライブ位置１３まで到達可能になっている。
【００７７】
ドライブ体３がドライブ位置１３に達すると、移動用モータ７１が停止される。このドライブ位置１３では、図４に示すように、ローディングプレート５１の押動部５８が規制部材２８の規制ピン３０の側部に配置されるとともに、クラッチレバー９６の係合溝９８がクラッチ部材９２のクラッチピン９５に係合される。
【００７８】
ドライブ体３がドライブ位置１３に達した後、図５に示すように、ローディング用モータ５４の駆動により、ローディングプレート５１が定位置から右方向に移動される。これにより、ローディングプレート５１の保持片５６が筐体１の保持溝１８ａ  に係合され、ドライブ体３がドライブ位置１３に位置決め保持される。同時に、ローディングプレート５１の押動部５８で規制部材２８の規制ピン３０が右方向に押動され、規制部材２８が解除位置へ移動されて、ストッカ２の進出が許容される。さらに同時に、ローディングプレート５１のカム溝６４とリンクレバー１００  のリンクピン１０３  との係合を介して、リンクレバー１００  が図中反時計回り方向に回動されるとともに、クラッチレバー９６が図中時計回り方向に回動され、クラッチピン９５を介してクラッチ部材９１，９２が移動用ギヤ８７，８９から離反する右方向に移動され、クラッチが切られる。
【００７９】
すなわち、図５に示す状態では、ドライブ体３がドライブ位置１３に保持され、規制部材２８が解除位置に移動され、クラッチ切状態とされる。
【００８０】
この状態で、移動用モータ７１の駆動（ドライブ体３の前進移動時に対して逆転される）により、筐体１に対して一定位置で回動されることになる移動用ギヤ９０に対してラック２７が前方に移動され、図２に示すように、ストッカ２が筐体１の開口部１１から前進移動される。このとき、枠体３１の上面の移動用ギヤ８７，８９なども回動されるが、クラッチ切状態にあるため、空回りするだけとなる。ストッカ２の前進完了後、移動用モータ７１が停止される。
【００８１】
そして、筐体１の開口部１１から前進移動されたストッカ２の各ディスク装填溝２２に対して、ＣＤを上方から差し込み装填する。ＣＤには１２ｃｍと８ｃｍのサイズがあるが、ストッカ２の各ディスク装填溝２２に対してランダムに装填することが可能となっている。
【００８２】
ＣＤの装填後、ストッカ２の収容が指示されると、移動用モータ７１の駆動（ストッカ２の前進移動時に対して逆転される）により、ストッカ２が後退されて筐体１内の所定位置に収容される。
【００８３】
ストッカ２の収容後、移動用モータ７１が停止されるとともに、ローディング用モータ５４の駆動（ローディングプレート５１が右方向への移動時に対して逆転される）により、図４に示すように、ローディングプレート５１が左方向の定位置に移動される。これにより、ローディングプレート５１の保持片５６が筐体１の保持溝１８ａ  から外れ、ドライブ体３の前後方向への移動が許容される。同時に、ローディングプレート５１の押動部５８による規制ピン３０の押動が解除され、規制部材２８がスプリング２９の付勢によって規制位置へ移動され、ストッカ２の進出が規制される。さらに同時に、ローディングプレート５１のカム溝６４とリンクレバー１００  のリンクピン１０３  との係合を介して、リンクレバー１００  が図中時計回り方向に回動されるとともに、クラッチレバー９６が図中反時計回り方向に回動され、クラッチピン９５を介してクラッチ部材９１，９２が移動用ギヤ８７，８９に噛合する左方向に移動され、クラッチが入れられる。
【００８４】
このようにして、ストッカ２へのＣＤの装填が行なわれる。
【００８５】
次に、ＣＤの演奏について説明する。
【００８６】
演奏を行なうＣＤが装填されたディスク装填溝２２が選択指示されると、図７または図１０に示すように、対応するディスク装填溝２２の位置にドライブ体３が移動される。
【００８７】
このドライブ体３の移動は、例えば、ドライブ体３の待機位置をドライブ位置１３とする場合、ドライブ体３が待機位置から後方へ移動していき、ドライブ体３のセンサ１０５  がストッカ２の検知用スリット２６の部分を通過移動するとき、検知用スリット２６の部分で透光となる透光状態をカウントすることにより、選択されたディスク装填溝２２の位置とドライブ体３のローディング位置とが正確に位置決めされる。
【００８８】
ドライブ体３の移動後、選択されたディスク装填溝２２に装填されているＣＤがドライブ体３側にローディングされ、ドライブ体３がドライブ位置１３に移動されてＣＤの演奏が行なわれることになる。
【００８９】
次に、１２ｃｍのＣＤのローディングおよび演奏について、図７ないし図９を参照して説明する。
【００９０】
図７に示すように、選択されたディスク装填溝２２の１２ｃｍのＣＤの位置にドライブ体３が移動された後、ローディング用モータ５４の駆動により、図８に示すように、ローディングプレート５１が定位置から左方向に移動される。
【００９１】
ローディングプレート５１の左方向への移動に伴って、ローディングプレート５１のカム溝６１とリンク１１７  の爪レバーピン１１９  との係合を介して、爪レバー１１１  が上方へ回動され、爪レバー１１１  がストッカ２のディスク装填溝２２に進入してＣＤの外周縁に係合され、ＣＤがドライブ体３に向けて転動するようにディスク装填溝２２から押し出される。
【００９２】
押し出されるＣＤはホルダレバー１１４  のホルダ部１３０  のホルダ溝１２９  に係合され、このホルダレバー１１４  がＣＤで押されて図中反時計回り方向に回動される。このホルダレバー１１４  の回動は、リンクレバー１００  とリンクレバー１３１  とが所定範囲で遊動可能に連結されていることで可能になっている。ＣＤの下部側は、ストッカ２からホルダアーム１１２  のガイド溝１２１  に係合されるとともに、このホルダアーム１１２  を通じてホルダプレート１１３  のホルダ部１２５  のホルダ溝１２４  に係合される。したがって、ＣＤは、爪レバー１１１  とホルダレバー１１４  との間、ホルダアーム１１２  とホルダプレート１１３  との間でそれぞれ保持されながら、それらホルダアーム１１２  とホルダプレート１１３  とホルダプレート１１３  との間で挟持される。
【００９３】
ローディングプレート５１のカム溝６２とホルダアーム１１２  のホルダアームピン１２２  との係合を介して、ホルダアーム１１２  が図中時計回り方向に回動され、爪レバー１１１  による押し出しに引き続いて、ホルダアーム１１２  でＣＤがドライブ体３内に取り込まれていく。爪レバー１１１  は、図中反時計回り方向に回動され、ストッカ２の下方の初期位置に戻される。
【００９４】
さらに、ローディングプレート５１の左方向への移動に伴って、ローディングプレート５１のカム溝６２の溝部６２ａ  ，６２ｂ  の分岐点の部分がホルダアーム１１２  のホルダアームピン１２２  に到達するとともに、ローディングプレート５１のローディングプレートピン６７がホルダプレート１１３  のカム溝１２７  の溝部１２７ａ，１２７ｂの分岐点の部分に到達する。
【００９５】
このとき、ホルダプレート１１３  がスプリング１２３  （図１２参照）によって上方に付勢されているが、ＣＤの上部側がホルダレバー１１４  で下方へ押さえ付けられることにより、ＣＤを介してホルダプレート１１３  の上昇が規制される。ホルダレバー１１４  は、１２ｃｍのＣＤがホルダプレート１１３  とホルダレバー１１４  との間に進入されると、リンクレバー１００  とリンクレバー１３１  とが遊動可能とする範囲がわずかに残る程度となるため、ホルダプレート１１３  およびＣＤの上昇でわずかに回動する程度で、ホルダレバー１１４  がリンクレバー１３１  ，１００  を介してローディングプレート５１に直結されてホルダレバー１１４  の上方への回動が規制される。
【００９６】
したがって、ホルダプレート１１３  がスプリング１２３  によって上方に付勢されているが、ＣＤの上部側がホルダレバー１１４  で下方へ押さえ付けられているため、ＣＤによってホルダプレート１１３  の上昇が規制され、ホルダアームピン１２２  が下側の溝部６２ａ  に係合されるとともに、上側の溝部１２７ａがローディングプレートピン６７に係合される。この係合により、ホルダプレート１１３  の上下方向の動きがカム溝６２ａ  ，１２７ａによって制御される。
【００９７】
このようにホルダプレート１１３  とホルダレバー１１４  との間に挟持されながら取り込まれるＣＤは、ＣＤの中心孔部がピックアップユニット４３およびチャックユニットとの中心に一致する位置に取り込まれる。
【００９８】
ＣＤがドライブ体３の所定位置に取り込まれた後、ローディングプレート５１のチャックピン６５がピックアップユニット４３を取り付けた揺動板４４に係合され、この揺動板４４が前方へ揺動されてピックアップユニット４３のターンテーブル４１とチャックユニットとの間でＣＤの中心孔部がチャックされる。この時点で、ローディング用モータ５４が一時停止される。
【００９９】
移動用モータ７１の駆動によりドライブ体３が前方へ移動され、ドライブ位置１３で停止される。
【０１００】
ローディング用モータ５４の再駆動により、図９に示すように、ローディングプレート５１がさらに左方向に移動され、保持片５６が保持溝１８ｂ  に係合して、ドライブ体３が筐体１に位置決め保持される。同時に、ホルダレバー１１４  が図中反時計回り方向に回動されてＣＤから離反され、ホルダプレート１１３  が下降されてＣＤから離反され、ホルダレバー１１４  が上昇されてＣＤから離反される。したがって、ＣＤはピックアップユニット４３のターンテーブル４１とチャックユニットとの間にチャックされた状態で回転可能となり、ＣＤの回転およびピックアップ動作によって演奏が行なわれる。
【０１０１】
ドライブ体３がドライブ位置１３に移動した状態では、筐体１の窓部１２を通じて、ドライブ体３内のＣＤのディスク面を容易に視認することができ、ＣＤが回転している演奏状態、ラベル面（非データ記録面）に表示されたタイトル名を視認できる。
【０１０２】
一方、ドライブ体３内のＣＤをストッカ２に戻す場合には、前述の演奏時とは逆の動作によって行なわれる。すなわち、まず、図９に示す状態から、ローディングプレート５１が右方向に移動され、ＣＤがホルダアーム１１２  、ホルダプレート１１３  およびホルダレバー１１４  で挟持されるとともに、保持片５６が保持溝１８ｂ  から外される。その後、ストッカ２のＣＤを戻すディスク装填溝２２の位置にドライブ体３が移動される。その後、ローディングプレート５１が右方向に移動され、ホルダレバー１１４  でＣＤがストッカ２へ向けて押し出され、図８に示すように、起き上がった爪レバー１１１  も加わってＣＤが保持されながらホルダアーム１１２  上を通じてディスク装填溝２２に戻される。
【０１０３】
次に、８ｃｍのＣＤのローディングおよび演奏について、図１０ないし図１２を参照して説明する。なお、前述した１２ｃｍのＣＤのローディングおよび演奏と同様の作用については簡単に説明する。
【０１０４】
図１０および図１１に示すように、ローディングプレート５１の左方向へ移動されてローディングが開始されると、爪レバー１１１  でストッカ２内の８ｃｍのＣＤがドライブ体３側に押し出され、このＣＤでホルダレバー１１４  を押し上げながら、ＣＤがホルダアーム１１２  上に乗り移り、爪レバー１１１  に引き続いてホルダアーム１１２  でＣＤがドライブ体３側に取り込まれ、ＣＤがホルダプレート１１３  上に乗り移る。
【０１０５】
ローディングプレート５１の左方向への移動に伴って、ローディングプレート５１のカム溝６２の溝部６２ａ  ，６２ｂ  の分岐点の部分がホルダアーム１１２  のホルダアームピン１２２  に到達するとともに、ローディングプレート５１のローディングプレートピン６７がホルダプレート１１３  のカム溝１２７  の溝部１２７ａ，１２７ｂの分岐点の部分に到達する。
【０１０６】
このとき、８ｃｍのＣＤをホルダプレート１１３  との間に挟持するホルダレバー１１４  は、リンクレバー１００  とリンクレバー１３１  とが遊動可能とする範囲が十分に残っているため、上方へ十分に回動可能になっている。そのため、１２ｃｍのＣＤの場合のようにホルダレバー１１４  で押さえ付けられることなく、スプリング１２３  によって上方に付勢されているホルダプレート１１３  が上昇され、ホルダアームピン１２２  が上側の溝部６２ｂ  に係合されるとともに、下側の溝部１２７ｂがローディングプレートピン６７に係合される。この係合により、ホルダプレート１１３  の上下方向の動きがカム溝６２ｂ  ，１２７ｂによって制御される。
【０１０７】
ローディングプレート５１がさらに左方向へ移動されると、カム溝６２ｂ  ，１２７ｂによってホルダプレート１１３  が平行に上昇され、ＣＤおよびこのＣＤを介してホルダレバー１１４  が押し上げられ、ＣＤの中心孔部がピックアップユニット４３およびチャックユニットとの中心に一致する位置に取り込まれる。
【０１０８】
その後、ピックアップユニット４３のターンテーブル４１とチャックユニットとの間でＣＤの中心孔部がチャックされ、ドライブ体３が前方のドライブ位置１３に移動される。
【０１０９】
その後、図１２に示すように、ローディングプレート５１がさらに左方向に移動され、保持片５６が保持溝１８ｂ  に係合して、ドライブ体３が筐体１に位置決め保持される。同時に、ホルダレバー１１４  、ホルダプレート１１３  およびホルダレバー１１４  がＣＤから離反される。したがって、ＣＤはピックアップユニット４３のターンテーブル４１とチャックユニットとの間にチャックされた状態で回転可能となり、ＣＤの回転およびピックアップ動作によって演奏が行なわれる。
【０１１０】
ドライブ体３がドライブ位置１３に移動した状態では、筐体１の窓部１２を通じて、ドライブ体３内の８ｃｍのＣＤのディスク面を容易に視認することができ、８ｃｍのＣＤが回転している演奏状態、ラベル面に表示されたタイトル名などを視認できる。
【０１１１】
一方、ドライブ体３内の８ｃｍのＣＤをストッカ２に戻す場合には、前述の演奏時とは逆の動作によって行なわれる。すなわち、まず、図１２に示す状態から、ローディングプレート５１が右方向に移動され、ＣＤがホルダアーム１１２  、ホルダプレート１１３  およびホルダレバー１１４  で挟持されるとともに、保持片５６が保持溝１８ｂ  から外される。その後、ストッカ２のＣＤを戻すディスク装填溝２２の位置にドライブ体３が移動される。その後、ローディングプレート５１が右方向に移動され、ホルダプレート１１３  とともにＣＤが下降されながら、ホルダレバー１１４  でＣＤがストッカ２へ向けて押し出され、図１１に示すように、起き上がった爪レバー１１１  も加わってＣＤが保持されながらホルダアーム１１２  上を通じてディスク装填溝２２に戻される。
【０１１２】
以上のように、前面に窓部１２を有する筐体１内に、筐体１の前面にディスク面が対向される状態で複数枚のＣＤを前後方向に沿って集積するストッカ２を設けるとともに、窓部１２の後方でかつストッカ２の側部に沿って前後方向に移動可能にドライブ体３を設け、ストッカ２から任意のＣＤをドライブ体３のドライブ機構３２にローディングした後、そのドライブ体３が筐体１の窓部１２に臨む最も前進したドライブ位置１３に移動して、ＣＤのドライブを行なうため、ＣＤのディスク面、およびＣＤのドライブ状態を筐体１の前面から良好に視認できる。
【０１１３】
しかも、ストッカ２を筐体１の前面から進出させた状態で、ストッカ２に対してＣＤを容易に着脱できる。
【０１１４】
また、移動用モータ７１の駆動力によってドライブ体移動機構７２によりドライブ体３を前後方向に移動させるとともに、ドライブ体３がドライブ位置１３に移動した状態でクラッチ機構７３によって移動用モータ７１からドライブ体移動機構７２への駆動力の伝達を解除することで、移動用モータ７１からの駆動力によってストッカ移動機構７４によりストッカ２を進退移動させるため、１つの移動用モータ７１でドライブ体３の移動とストッカ２の進退移動とを行なえる。
【０１１５】
また、規制部材２８によりストッカ２の不用意な進出を規制でき、さらに、ローディング機構３３のローディングプレート５１の左方向への移動によりローディング機構３３を動作させるとともに、ローディングプレート５１の右方向への移動により規制部材２８による規制を解除させるため、規制部材２８の解除機構をローディング機構３３で兼用でき、特別な解除機構が必要なく、構造を簡素化できる。さらに、ローディング機構３３のローディングプレート５１の右方向への移動によりクラッチ機構７３を解除動作させるため、クラッチ機構７３の解除をローディング機構３３で兼用でき、特別な解除機構が必要なく、構造を簡素化できる。
【０１１６】
また、保持機構５７によりドライブ位置１３に移動したドライブ体３を位置決め保持するため、ＣＤのドライブ状態を安定させることができる。さらに、ドライブ位置１３において、ローディングプレート５１の移動により、ローディングプレート５１の保持片５６が筐体１の保持溝１８ａ  ，１８ｂ  に係合して位置決め保持できるため、保持機構５７をローディング機構３３で兼用でき、構造を簡素化できる。
【０１１７】
また、ローディング機構３３のディスク中心位置決め手段１３２  により、ストッカ２からドライブ機構３２にＣＤをローディングする過程でＣＤの直径に対応してＣＤの中心をドライブ機構３２の中心に位置決めできるため、直径の異なるＣＤに対応できる。
【０１１８】
次に、図１３に第２の実施の形態を示す。
【０１１９】
この第２の実施の形態では、ストッカ２の進退移動とドライブ体３の移動とをぞれぞれ別駆動で行なうものである。
【０１２０】
筐体１の底板には、ストッカ２の下側で前後方向に沿ってラック１５１  が形成されている。ストッカ２の搭載台２１の後部上側にはストッカ移動用モータ１５２  が配設され、搭載台２１の後部下側にはストッカ移動用モータ１５２  の駆動ギヤ１５３  が配置されているとともにこの駆動ギヤ１５３  から駆動力が順に伝達される中間ギヤ１５４  および移動用ギヤ１５５  が回転自在に軸支され、移動用ギヤ１５５  がラック１５１  に噛合されている。
【０１２１】
ドライブ体３側の移動機構３４は、ストッカ２側に対して切り離され、駆動力の伝達は行なわれない。
【０１２２】
そして、ストッカ移動用モータ１５２  の駆動力によってストッカ２を筐体１の前面から自動的に進退させることができる。
【０１２３】
なお、ストッカ２の進退移動とドライブ体３の移動とを別駆動で行なう場合は、第１の実施の形態のようにストッカ２の進退移動とドライブ体３の移動とを交互に切り換えるようなクラッチ機構７３は必要でなくなり、簡素化できる。
【０１２４】
また、ストッカ２へのＣＤの着脱は、例えば筐体１の上面あるいは側面が開口されて着脱できるように構成してもよい。
【０１２５】
また、ディスクには、再生専用、記録専用、記録と再生の両方が含まれ、例えば、コンパクトディスク、ビデオディスク、光磁気ディスク、フレキシブル磁気ディスクなどが含まれる。また、ドライブ機構には、再生専用、記録専用、記録と再生の両方が含まれる。また、ドライブとは、ディスクの記録または再生を意味し、ディスクの回転も含む。
【０１２６】
【発明の効果】
請求項１記載のディスクチェンジャ装置によれば、前面に窓部を有する筐体内に、筐体の前面にディスク面が対向される状態で複数枚のディスクを前後方向に沿って集積するストッカを設けるとともに、窓部の後方でかつストッカの側部に沿って前後方向に移動可能にドライブ体を設け、ストッカから任意のディスクをドライブ体のドライブ機構にローディングした後、そのドライブ体が筐体の窓部に臨む最も前進したドライブ位置に移動して、ディスクのドライブを行なうため、ディスクのディスク面、およびディスクのドライブ状態を筐体の前面から良好に視認できる。
【０１２７】
請求項２記載のディスクチェンジャ装置によれば、請求項１記載のディスクチェンジャ装置の効果に加えて、保持機構によりドライブ位置に移動したドライブ体を位置決め保持するため、ディスクのドライブ状態を安定させることができる。
【０１２８】
請求項３記載のディスクチェンジャ装置によれば、請求項１または２記載のディスクチェンジャ装置の効果に加えて、ストッカを筐体の前面から進出させた状態で、ストッカに対してディスクを容易に着脱できる。
【０１２９】
請求項４記載のディスクチェンジャ装置によれば、請求項１または２記載のディスクチェンジャ装置の効果に加えて、ストッカ移動用モータの駆動力によってストッカを筐体の前面から自動的に進退させることができ、そのストッカを筐体の前面から進出させた状態でストッカに対してディスクを容易に着脱できる。
【０１３０】
請求項５記載のディスクチェンジャ装置によれば、請求項２記載のディスクチェンジャ装置の効果に加えて、移動用モータの駆動力によってドライブ体移動機構によりドライブ体を前後方向に移動させるとともに、ドライブ体がドライブ位置に移動した状態でクラッチ機構によって移動用モータからドライブ体移動機構への駆動力の伝達を解除することで、移動用モータからの駆動力によってストッカ移動機構によりストッカを進退移動させるため、１つの移動用モータでドライブ体の移動とストッカの進退移動とを行なえ、しかも、ストッカを筐体の前面から進出させた状態でストッカに対してディスクを容易に着脱できる。
【０１３１】
請求項６記載のディスクチェンジャ装置によれば、請求項３または４記載のディスクチェンジャ装置の効果に加えて、規制部材によりストッカの不用意な進出を規制でき、さらに、ローディング機構のローディングプレートの一方への移動によりローディング機構を動作させるとともに、ローディングプレートの他方への移動により規制部材による規制を解除させるため、規制部材の解除機構をローディング機構で兼用でき、特別な解除機構が必要なく、構造を簡素化できる。
【０１３２】
請求項７記載のディスクチェンジャ装置によれば、請求項５記載のディスクチェンジャ装置の効果に加えて、ローディング機構のローディングプレートの一方への移動によりローディング機構を動作させるとともに、ローディングプレートの他方への移動によりクラッチ機構を解除動作させるため、クラッチ機構の解除をローディング機構で兼用でき、特別な解除機構が必要なく、構造を簡素化できる。
【０１３３】
請求項８記載のディスクチェンジャ装置によれば、請求項６または７記載のディスクチェンジャ装置の効果に加えて、ドライブ位置において、ローディングプレートの移動により、ローディングプレートの保持片が筐体の保持溝に係合して位置決め保持できるため、保持機構をローディング機構で兼用でき、構造を簡素化できる。
【０１３４】
請求項９記載のディスクチェンジャ装置によれば、請求項１ないし８いずれか記載のディスクチェンジャ装置の効果に加えて、ローディング機構のディスク中心位置決め手段により、ストッカからドライブ機構にディスクをローディングする過程でディスクの直径に対応してディスクの中心をドライブ機構の中心に位置決めできるため、直径の異なるディスクに対応できる。
【図面の簡単な説明】
【図１】本発明の第１の実施の形態を示すディスクチェンジャ装置の斜視図である。
【図２】同上ディスクチェンジャ装置のストッカの進出状態の平面図である。
【図３】同上ディスクチェンジャ装置のストッカおよびドライブ体の一部を示す正面図である。
【図４】同上ディスクチェンジャ装置のストッカおよびドライブ体の一部を示し、クラッチ機構の接続状態およびストッカの進出規制状態を示す正面図である。
【図５】同上ディスクチェンジャ装置のストッカおよびドライブ体の一部を示し、クラッチ機構の解除状態およびストッカの進出規制解除状態を示す正面図である。
【図６】同上ディスクチェンジャ装置の筐体の底板の平面図である。
【図７】同上ディスクチェンジャ装置の１２ｃｍのコンパクトディスクをローディングする前の状態の正面図である。
【図８】同上図７に続く１２ｃｍのコンパクトディスクのローディング過程の正面図である。
【図９】同上図８に続く１２ｃｍのコンパクトディスクの演奏状態の正面図である。
【図１０】同上ディスクチェンジャ装置の８ｃｍのコンパクトディスクをローディングする前の状態の正面図である。
【図１１】同上図１０に続く８ｃｍのコンパクトディスクのローディング過程の正面図である。
【図１２】同上図１１に続く８ｃｍのコンパクトディスクの演奏状態の正面図である。
【図１３】本発明の第２の実施の形態を示すディスクチェンジャ装置のストッカの進出状態の平面図である。
【符号の説明】
１    筐体
２    ストッカ
３    ドライブ体
１２    窓部
１８ａ  ，１８ｂ      保持溝
２８    規制部材
３２    ドライブ機構
３３    ローディング機構
３４    移動機構
５１    ローディングプレート
５４    ローディング用モータ
５６    保持片
５７    保持機構
７１    移動用モータ
７２    ドライブ体移動機構
７３    クラッチ機構
７４    ストッカ移動機構
１３２    ディスク中心位置決め手段
１５２    ストッカ移動用モータ
ＣＤ  ディスク
【図１】
0003594473.tif 000002
【図２】
0003594473.tif 000003
【図３】
0003594473.tif 000004
【図４】
0003594473.tif 000005
【図５】
0003594473.tif 000006
【図６】
0003594473.tif 000007
【図７】
0003594473.tif 000008
【図８】
0003594473.tif 000009
【図９】
0003594473.tif 000010
【図１０】
0003594473.tif 000011
【図１１】
0003594473.tif 000012
【図１２】
0003594473.tif 000013
【図１３】
0003594473.tif 000014